(57)【要約】      （修正有）【課題】切断されたシートが斜めの状態で落下することで、シートの折れ等によって排出品位が低下するのを防止する切断装置および画像形成装置を実現する。【解決手段】ロール状に巻かれたシート１を巻き解きながら、排出部材３に支持された前記シート１を所定量搬送した後に、切断手段４によって前記シート１を切断する切断装置において、前記シート１の搬送終了後に、少なくとも前記シート１の切断開始側に、切断時に生じる前記排出部材３に支持されない前記シート１の回転を阻止する力を付与する補助手段６を備える。【選択図】図２
2011115894.tif 000002
【特許請求の範囲】
【請求項１】
ロール状に巻かれたシートを巻き解きながら、排出部材に支持された前記シートを所定量搬送した後に、切断手段によって前記シートを切断する切断装置において、
前記シートの搬送終了後に、少なくとも前記シートの切断開始側に、切断時に生じる前記排出部材に支持されない前記シートの回転を阻止する力を付与する補助手段を備えていることを特徴とする切断装置。
【請求項２】
前記補助手段は前記排出部材における、前記シートの切断開始側に設けられていることを特徴とする請求項１に記載の切断装置。
【請求項３】
前記補助部材は、前記排出部材が前記シートを支持する支持面の一部を形成し、前記シートの搬送終了後には上方へ移動することを特徴とする請求項１または請求項２に記載の切断装置。
【請求項４】
前記補助部材は、前記排出部材の端部に設けられており、前記シートの搬送時には稼動部材によって覆われており、前記シートの搬送終了後には露出することを特徴とする請求項１または請求項２に記載の切断装置。
【請求項５】
前記補助部材と前記シートとの摩擦力は、前記稼動部材と前記シートとの摩擦力よりも大きいことを特徴とする請求項４に記載の切断装置。
【請求項６】
前記補助部材は、前記排出部材の端部に設けられており、前記シートの搬送終了後には上方へ移動することを特徴とする請求項１または請求項２に記載の切断装置。
【請求項７】
前記補助部材は、前記排出部材の端部に設けられており、前記シートの搬送終了後には前記シートの搬送方向へ移動することを特徴とする請求項１または請求項２に記載の切断装置。
【請求項８】
請求項１ないし請求項７のいずれかの切断装置を備えていることを特徴とする画像形成装置。
【発明の詳細な説明】
【技術分野】
【０００１】
この発明は、ロール状に巻かれたシートを切断する切断装置およびロール状に巻かれたシートを記録媒体として使用する画像形成装置に関するもので、特に、所定の長さに切断されたシートが斜めに落下することを低減する切断装置および画像形成装置に関する。
【背景技術】
【０００２】
ロール状に巻かれたシートを使用する従来の切断装置または画像形成装置において、切断されたシートをその自重で落下させて排出するものがある。そのような装置においては、カッターがカット開始位置である待機位置からカット終了位置までシートを切断していく際、シート上の切断位置（５カットライン）における切断終了部と未切断部の境界を支点に、シートの切り離される側が自重により回転しようとする。すなわち、シートの切り離される側が自重により斜め下方に垂れ下がる。この状態では、完全に切断されたシートは斜めの状態で落下（以下、斜め落ちともいう）し、シートの折れ等による排出品位の低下を招く。さらに、記録ヘッドのキャリッジにカッターを搭載する画像形成装置の場合は、切断中にシートの切り離される側が自重により斜め下方に垂れ下がると、シートの切り残される側の先端が浮き上がり、記録ヘッドのインク吐出面とシートとが接触する可能性がある。このため、次に排出されるシートの記録面が汚れたり、記録ヘッドを破壊する等のおそれがある。
【０００３】
これを防止するために、例えば特許文献１では、排紙部材の搬送面に、記録媒体の幅方向に配置された摩擦部材を設け、この摩擦部材により斜め落ちを低減する方法が開示されている。
【先行技術文献】
【特許文献】
【０００４】
【特許文献１】特開２００６−２１２７８４号公報
【発明の概要】
【発明が解決しようとする課題】
【０００５】
しかしながら、特許文献１の構成では、摩擦部材が常に記録媒体と接触するため、装置の長期的な使用により、摩擦部材の、記録媒体との摩擦による磨耗や、紙粉の付着等で摩擦部材の摩擦係数が小さくなり、十分な効果を得られなくなるおそれがある。その結果、
よって本発明は、切断されたシートが斜めの状態で落下することで、シートの折れ等によって排出品位が低下するのを防止する切断装置および画像形成装置を実現することを目的とする。
【課題を解決するための手段】
【０００６】
そのため本発明の切断装置は、ロール状に巻かれたシートを巻き解きながら、排出部材に支持された前記シートを所定量搬送した後に、切断手段によって前記シートを切断する切断装置において、前記シートの搬送終了後に、少なくとも前記シートの切断開始側に、切断時に生じる前記排出部材に支持されない前記シートの回転を阻止する力を付与する補助手段を備えていることを特徴とする。
【０００７】
また、本発明の画像形成装置は、前記切断装置を備えていることを特徴とする。
【発明の効果】
【０００８】
本発明によれば切断装置および画押形成装置は、シートの搬送終了後に、少なくともシートの切断開始側に、切断時に生じる排出部材に支持されない前記シートの回転を阻止する力を付与する補助手段を備える。これによって、切断されたシートが斜めの状態で落下することで、シートの折れ等によって排出品位が低下するのを防止する切断装置および画像形成装置を実現することが出来る。
【図面の簡単な説明】
【０００９】
【図１】本発明の第１の実施形態を適用可能な切断装置の概略を示した斜視図である。
【図２】本発明の第１の実施形態を適用可能な切断装置の概略を示した斜視図である。
【図３】本発明の第１の実施形態を適用可能な切断装置の概略を示した斜視図である。
【図４】本発明を適用した画像形成装置を示した斜視図である。
【図５】（ａ）、（ｂ）は、本発明の第２の実施形態を適用可能な切断装置の概略図である。
【図６】（ａ）、（ｂ）は、本発明の第３の実施形態を適用可能な切断装置の概略図である。
【図７】（ａ）、（ｂ）は、本発明の第４の実施形態を適用可能な切断装置の概略図である。
【発明を実施するための形態】
【００１０】
（第１の実施形態）
以下、図面を参照して本発明の第１の実施形態について説明する。  
図１から図３は、本発明の第１の実施形態を適用可能な切断装置の概略を示した斜視図である。ロール状シート（以下、単にシートともいう）１は、図示しない軸部保持部材によって、巻回自在に保持されている。搬送機構２は、図示しない駆動源によって回転する駆動ローラ２１と、駆動ローラ２１に圧接する従動ローラ２２のローラ対を備え、このローラ対でシート１を挟持して所定量搬送する。ローラ対に対して、シート１の搬送方向後方には排出部材３が設けられており排出されるシート１のガイドとしてシート１を支持している。その排出部材３におけるシート１の搬送方向左側は、シート１を切断するカッター４の待機位置となっており、カッター４は排出部材３を横断しながらシート１を切断することが可能に設けられている。そして、排出部材３のシートガイド面におけるカッター４の待機位置側（図１右側）には、排出補助部材６が設けられている。排出補助部材６は、図示しない駆動源により上方へ移動できるよう保持されている。この排出補助部材６は、シート１が搬送機構２により搬送されている間は、排出部材の一部としてシート１を支持する支持面の一部として保持されている（搬送位置）。シート１が所定の長さまで排出され、搬送終了後、シート１を切断する際は、カッター４が切断を開始する前（カッター４が待機位置にある時）に、図示しない駆動源により排出補助部材６が上方に移動し（切断位置）、その後、切断を開始する（図２参照）。排出補助部材６は、シート１の切断中はこの切断位置に保持される。シート１が完全に切断された後は、排出補助部材６は図示しない駆動源により搬送位置に移動し、再び排出部材と一体となり排出ガイドの一部として機能する。
【００１１】
シート１は、カッター４によって切断される際、シート１におけるカットライン上の切断終了部と未切断部の境界を支点に、切り離される側が自重により回転しようとする（切り離される側が斜めに垂れ下がる）。しかし本実施形態では、シート１は切断される際、排出補助部材６によって上方へ持ち上げられている。そのため、シート１の切り離される側（シート１切断部）の搬送方向上流側で、切断の開始側が排出補助部材６によって保持され、シート１切断部が斜めに垂れ下がるのには時間を要する。つまり、部分的に切断されたシート１に対して排出補助部材６によって、シート１切断部が回転するのを阻止する方向の力を付与することで、シート１の切断に伴って移動しようとするシート１切断部の重心を、切断前の状態に保持している。このようにして、切断前、切断中、切断後におけるシート１の姿勢を維持することで、シート１切断部が斜めに垂れ下がるのを遅らせ、切断されたシート１の切断部が、斜め落ちの程度を軽減しながら自重により落下することを可能にしている（図３参照）。
【００１２】
なお、本実施形態では排出部材３の一部である１つの排出補助部材６が上昇する例を示したが、これに限定するものではない。つまり、シート１切断部が回転するのを阻止する方向の力を付与することで、シート１の切断に伴って移動しようとするシート１切断部の重心を、切断前の状態に保持できればよい。例えば、所定の幅寸法（例えば排出部材３の幅方向寸法の１０分の１程度）の排出補助部材が複数個、所定の間隔で排出部材３の幅方向に配置されていてもよい。
【００１３】
図４は、本発明を適用した画像形成装置を示した斜視図である。本実施形態を、画像形成装置に適用する場合は、シート１の搬送に伴って記録部９が移動しながらシート１に対して画像形成を行い、画像形成終了後にカッター４によって切断を行う。その切断の際に、上記の通り排出補助部材６を作動させて切断を行えばよい。
【００１４】
このように、シート切断時に排出部材３に設けた排出補助部材６を上昇させて、シート１切断部が斜めに垂れ下がるのを遅らせる。これによって、切断されたシートが斜めの状態で落下することで、シートの折れ等によって排出品位が低下するのを防止する切断装置および画像形成装置を実現することができた。
【００１５】
（第２の実施形態）
以下、図面を参照して本発明の第２の実施形態について説明する。なお、本実施形態の基本的な構成は第１の実施形態と同様であるため、以下では特徴的な構成についてのみ説明する。
【００１６】
図５（ａ）、（ｂ）は、本発明の第２の実施形態を適用可能な切断装置の概略図である。本実施形態では、排出部材３の端部に、シート搬送方向下流側に突出した摩擦部材８を設けている。また、排出部材３には稼動部材として排出補助部材６０が設けられている。シート１の搬送時には、排出補助部材６０が摩擦部材８を覆い隠す位置にあり、シート搬送後のシート切断時には、排出補助部材６０が排出部材３に対して相対的に搬送方向上流側へ移動して摩擦部材８を露出させる。シート１切断時に摩擦部材８を露出させることで、シート１切断部と摩擦部材８との間に大きな摩擦力を生じさせ、シート１切断部が斜めに垂れ下がるのを遅らせることができる。つまり、部分的に切断されたシート１に対して摩擦部材８によって、シート１切断部が回転するのを阻止する方向の力を付与することで、シート１の切断に伴って移動しようとするシート１切断部の重心を、切断前の状態に保持している。
【００１７】
このように、シート１切断時に排出部材３に設けた摩擦部材８を露出させて、シート１切断部が斜めに垂れ下がるのを遅らせる。これによって、切断されたシートが斜めの状態で落下することで、シートの折れ等によって排出品位が低下するのを防止する切断装置および画像形成装置を実現することができた。
【００１８】
（第３の実施形態）
以下、図面を参照して本発明の第３の実施形態を説明する。なお、本実施形態の基本的な構成は第１の実施形態と同様であるため、以下では特徴的な構成についてのみ説明する。
【００１９】
図６（ａ）、（ｂ）は、本発明の第３の実施形態を適用可能な切断装置の概略図である。本実施形態では、排出部材３に、シート１搬送方向下流側の切断開始側に排出補助部材６１を設けている。排出補助部材６１は、図示しない駆動源により排出部材３の上方に移動できるよう保持されており、シート１が搬送機構２により搬送されている間は、排出ガイドの一部として保持されている（搬送位置）。シート１が所定の長さまで排出され、搬送停止後にシート１を切断する際は、カッター４が切断を開始する前（カッター４が待機位置にある時）に、図示しない駆動源により排出補助部材６１が上方に移動し（切断位置）、その後、カッター４が切断を開始する。シート１の切断中、排出補助部材６１は、この切断位置に保持される。シート１が完全に切断された後は、排出補助部材６１は図示しない駆動源により搬送位置に移動し、再び排出ガイドの一部として保持される。
【００２０】
シート１の切断時に、切断開始側に設けられた排出補助部材６１を上方に移動させることで、シート１切断部が斜めに垂れ下がるのを遅らせる。つまり、部分的に切断されたシート１に対して排出補助部材６１によって、シート１切断部が回転するのを阻止する方向の力を付与することで、シート１の切断に伴って移動しようとするシート１切断部の重心を、切断前の状態に保持している。このようにして、切断前、切断中、切断後におけるシート１の姿勢を維持することで、シート１切断部が斜めに垂れ下がるのを遅らせ、切断されたシート１の切断部が、斜め落ちの程度を軽減しながら自重により落下することを可能にしている。
【００２１】
本実施形態では、排出補助部材６１が切断開始側に１つであるが、この限りではなく、所定の幅寸法（例えば排出部材３の幅方向寸法の１０分の１程度）のものが複数個、所定の間隔で排出部材３の幅方向に配置されていてもよい。
【００２２】
また、排出部材３の切断開始側を切断終了側より相対的に上方へ持ち上げながら、排出部材３全体が、上方へ変位しても、同様の効果を得ることができる。
【００２３】
このように、シート切断時に排出部材３に設けた排出補助部材６１を上昇させて、シート１切断部が斜めに垂れ下がるのを遅らせる。これによって、切断されたシートが斜めの状態で落下することで、シートの折れ等によって排出品位が低下するのを防止する切断装置および画像形成装置を実現することができた。
【００２４】
（第４の実施形態）
以下、図面を参照して本発明の第４の実施形態を説明する。なお、本実施形態の基本的な構成は第１の実施形態と同様であるため、以下では特徴的な構成についてのみ説明する。
【００２５】
図７（ａ）、（ｂ）は、本発明の第４の実施形態を適用可能な切断装置の概略図である。本実施形態では、排出部材３に、シート１搬送方向下流側の切断開始側に排出補助部材６２を設けている。排出補助部材６２は、図示しない駆動源により排出部材３のシート１搬送方向下流側に延長可能に保持されており、シート１が搬送機構２により搬送されている間は、排出ガイドの一部として保持されている（搬送位置）。シート１が所定の長さまで排出され、搬送停止後にシート１を切断する際は、カッター４が切断を開始する前（カッター４が待機位置にある時）に、図示しない駆動源により排出補助部材６２がシート１搬送方向下流側に延長され（切断位置）る。その後、カッター４がシート１を切断を開始する。シート１の切断中、排出補助部材６２は、この切断位置に保持される。シート１が完全に切断された後は、排出補助部材６２は図示しない駆動源により搬送位置に移動し、再び排出ガイドの一部として保持される。
【００２６】
シート１の切断時に、切断開始側に設けられた排出補助部材６２をシート１搬送方向下流側に延長させることで、シート１切断部が斜めに垂れ下がるのを遅らせる。つまり、部分的に切断されたシート１に対して排出補助部材６２によって、シート１切断部が回転するのを阻止する方向の力を付与することで、シート１の切断に伴って移動しようとするシート１切断部の重心を、切断前の状態に保持している。このようにして、切断前、切断中、切断後におけるシート１の姿勢を維持することで、シート１切断部が斜めに垂れ下がるのを遅らせ、切断されたシート１の切断部が、斜め落ちの程度を軽減しながら自重により落下することを可能にしている。
【００２７】
本実施形態では、排出補助部材６２が切断開始側に１つであるが、この限りではなく、所定の幅寸法（例えば排出部材３の幅方向寸法の１０分の１程度）のものが複数個、所定の間隔で排出部材３の幅方向に配置されていてもよい。
【００２８】
このように、シート切断時に排出部材３に設けた排出補助部材６１をシート１搬送方向下流側に延長させて、シート１切断部が斜めに垂れ下がるのを遅らせる。これによって、切断されたシートが斜めの状態で落下することで、シートの折れ等によって排出品位が低下するのを防止する切断装置および画像形成装置を実現することができた。
【符号の説明】
【００２９】
１  シート
２  搬送機構
３  排出部材
４  カッター
６  排出補助部材
６０  排出補助部材
６１  排出補助部材
６２  排出補助部材
【図１】
2011115894.tif 000003
【図２】
2011115894.tif 000004
【図３】
2011115894.tif 000005
【図４】
2011115894.tif 000006
【図５】
2011115894.tif 000007
【図６】
2011115894.tif 000008
【図７】
2011115894.tif 000009